(57)【要約】【課題】所定入賞条件の成立時であっても遊技媒体の払出を行なわないようにし、あるいは、所定入賞条件の成立時であっても払出数が異なるようにすることによって、遊技にさらなる変化をもたせ、遊技者の興趣を喚起すること。【解決手段】パチンコ遊技機は、所定入賞条件の成立（普通入賞口１又は始動入賞口２への入賞）を前提として遊技球の払出を行なう遊技機である。予め、所定入賞条件の成立ごとに払出すべき遊技球の払出数値として小数値を含む数値（０．２）を設定しておき、所定入賞条件の成立ごとに、払出数値を構成する整数分（０）の遊技媒体の払出を行なうとともに、払出数値を構成する小数値（０．２）の累積値を演算し、累積値が正の整数化した（１になった）ときの所定入賞条件成立時（第５回目の入賞時）に、払出数値の整数（０）に整数化した累積値（１）を加算した合計数分（１）の遊技媒体の払出を行なう。【選択図】図３
2005000200.tif 000002
【特許請求の範囲】
【請求項１】
所定入賞条件の成立を前提として遊技球など遊技媒体の払出を行なう遊技機であって、
予め、前記所定入賞条件の成立ごとに払出すべき遊技媒体の払出数値として小数値を含む数値を設定しておき、
前記所定入賞条件の成立ごとに、前記払出数値を構成する整数分の遊技媒体の払出を行なうとともに、前記払出数値を構成する前記小数値の累積値を演算し、該累積値が正の整数化したときの所定入賞条件成立時に、前記払出数値の整数に前記整数化した累積値を加算した合計数分の遊技媒体の払出を行なうことを特徴とする遊技機。
【請求項２】
前記払出数値を構成する整数は０であり、前記累積値が正の整数化したときの所定入賞条件成立時のみ遊技媒体の払出を行なうことを特徴とする請求項１記載の遊技機。
【請求項３】
前記払出数値を構成する整数は正の整数であることを特徴とする請求項１記載の遊技機。
【請求項４】
所定入賞条件の成立を前提として遊技球など遊技媒体の払出を行なう遊技機であって、
予め、前記所定入賞条件の成立ごとに払出すべき遊技媒体の払出数値として小数値を含む数値を設定しておき、
前記所定入賞条件の成立時に、前記払出数値の総数を累積してゆき、該累積値が小数値を含まない正の整数となったとき、該整数分の遊技媒体の払出を行うことを特徴とする遊技機。
【請求項５】
遊技が継続して行われていない時間、又は、今回の所定入賞条件成立から次回の所定入賞条件成立までの時間が所定時間に達したとき、前記累積値をクリアすることを特徴とする請求項１〜４のいずれか記載の遊技機。
【請求項６】
大当たり発生時に前記累積値が０より大きくかつ正の整数未満である場合、該累積値を払出可能な整数まで繰り上げ、該整数分の遊技媒体の払出を行うことを特徴とする請求項１〜５のいずれか記載の遊技機。
【請求項７】
遊技者に対して前記累積値を示すための報知手段を備えることを特徴とする請求項１〜４のいずれか記載の遊技機。
【発明の詳細な説明】
【０００１】
【発明の属する技術分野】
本発明は、パチンコ遊技機、スロットマシンなど遊技機に関する。
【０００２】
【従来の技術】
従来のパチンコ遊技機は、遊技盤面に設けられた普通入賞口、始動入賞口など入賞口に遊技球が入賞すると、入賞口の種類ごとに予め定められた一定の個数の遊技球の払出を行なうよう構成されている。
【０００３】
また、従来のスロットマシンは、所定の図柄が揃ったとき、図柄ごとに予め定められた一定の枚数のメタルの払出を行なうよう構成されている。
【０００４】
【発明が解決しようとする課題】
しかし、最近、パチンコ遊技機においては、大当たり（特別遊技状態）時以外の通常遊技状態時に入賞口に入賞したときの払出個数を減少させ、その減少分を補うように大当たり発生確率を高めたり、大当たり時の払出個数を増加させることによって、遊技に変化をもたせようとする傾向がある。また、スロットマシンにおいてもパチンコ遊技機と同様、通常遊技状態時のメタルの払出枚数を減少させようとする傾向がある。
【０００５】
本発明は、上記のような遊技機の最近の傾向に着目し、所定入賞条件の成立時（例えば、上記のような通常遊技状態時に入賞口に遊技球が入賞した時）であっても遊技媒体（遊技球、メタル等）の払出を行なわないようにし、あるいは、所定入賞条件の成立時であっても払出数が異なるようにすることによって、遊技にさらなる変化をもたせ、遊技者の興趣を喚起することができる遊技機を提供することを目的とする。
【０００６】
【課題を解決するための手段】
請求項１に係る遊技機は、所定入賞条件の成立を前提として遊技球など遊技媒体の払出を行なう遊技機であって、予め、前記所定入賞条件の成立ごとに払出すべき遊技媒体の払出数値として小数値を含む数値を設定しておき、前記所定入賞条件の成立ごとに、前記払出数値を構成する整数分の遊技媒体の払出を行なうとともに、前記払出数値を構成する前記小数値の累積値を演算し、該累積値が正の整数化したときの所定入賞条件成立時に、前記払出数値の整数に前記整数化した累積値を加算した合計数分の遊技媒体の払出を行なうことを特徴とする。
【０００７】
請求項１に係る遊技機によると、所定入賞条件の成立時であっても遊技媒体の払出を行なわないようになったり、あるいは、所定入賞条件の成立時であっても払出数が異なるようになり、このため、遊技にさらなる変化が生じ、遊技者の興趣を喚起させることができるようになる。
【０００８】
例えば、前記払出数値を構成する整数は０であり、前記累積値が正の整数化したときの所定入賞条件成立時のみ遊技媒体の払出が行なわれる。あるいは、前記払出数値を構成する整数は正の整数である。この場合、所定入賞条件成立時ごとに、整数分の遊技媒体の払出が行なわれる。
【０００９】
請求項４に係る遊技機は、所定入賞条件の成立を前提として遊技球など遊技媒体の払出を行なう遊技機であって、予め、前記所定入賞条件の成立ごとに払出すべき遊技媒体の払出数値として小数値を含む数値を設定しておき、前記所定入賞条件の成立時に、前記払出数値の総数を累積してゆき、該累積値が小数値を含まない正の整数となったとき、該整数分の遊技媒体の払出を行うことを特徴とする。
【００１０】
請求項４に係る遊技機によると、所定入賞条件の成立時であっても遊技媒体の払出を行なわないようになり、このため、遊技に変化が生じ、遊技者の興趣を喚起させることができるようになる。
【００１１】
請求項５に係る遊技機によると、遊技が継続して行われていない時間、又は、今回の所定入賞条件成立から次回の所定入賞条件成立までの時間が所定時間に達したとき、前記累積値をクリアするようにしたため、それまで遊技していた遊技者が新しい遊技者に交代した場合に、累積値がそのまま継続して用いられる不具合を解消できる。
【００１２】
請求項６に係る遊技機によると、大当たり発生時に前記累積値が０より大きくかつ正の整数未満である場合、該累積値を払出可能な整数まで繰り上げ、該整数分の遊技媒体の払出を行うようにしたため、大当たり発生時に遊技媒体の欠如から大当たり状態が消滅する（所謂パンクする）不具合の発生を防止することができる。
【００１３】
また、遊技者に対して前記累積値を示すための報知手段を設けるようにすると、遊技者は、今から何回目の所定入賞条件の成立によって遊技媒体の払出が行なわれ、あるいは、通常より多い遊技媒体の払出が行なわれるかを直感することができる。
【００１４】
【発明の実施の形態】
以下、本発明の実施形態を図面に基づいて説明する。
【００１５】
図１は、本発明を適用可能なパチンコ遊技機の一例の正面図、図２は、図１図示のパチンコ遊技機において賞球の払出に関与するシステムの概略ブロック図、図３は、制御部による主要な演算及び処理の一例を表したフローチャート、図４は、制御部による主要な演算及び処理の他の例を表したフローチャートをそれぞれ示す。
【００１６】
図１に示すパチンコ遊技機は、ＣＲ機と称される第１種パチンコ遊技機であり、遊技球が入賞すると賞球として遊技球の払出が行なわれる入賞口として、普通入賞口１、始動入賞口２及び大入賞口３が遊技盤１００に設けられている。
【００１７】
ここで、従来のパチンコ遊技機においては、普通入賞口１は、遊技球の入賞によって常に一定個数の遊技球の払出が行なわれる入賞口である。また、始動入賞口２は、遊技球の入賞によって常に一定個数の遊技球の払出が行なわれるだけでなく、遊技球の入賞によって乱数が取得され、大当たりかハズレかの抽選が行なわれる入賞口である。また、大入賞口３は、大当たり発生時に、所定ラウンド数だけ開放状態となり、多数の遊技球の入賞を可能にし、多数の遊技球の払出が行なわれる入賞口である。大入賞口３の一部は継続入賞口４として機能し、この継続入賞口４への入賞によって次のラウンドの続行が許可され、入賞しなかった場合には大当たり状態が終了する。
【００１８】
本実施形態のパチンコ遊技機においては、大入賞口３及び継続入賞口４は従来のパチンコ遊技機と同様に動作するが、普通入賞口１又は始動入賞口２のいずれかあるいは両方については、後述するように、従来のパチンコ遊技機と異なり、遊技球の入賞に対して常に一定個数の遊技球の払出が行なわれるものとはならない。
【００１９】
次に、図１図示のパチンコ遊技機において賞球の払出に関与するシステムを図２に基づいて説明する。
【００２０】
図２において、始動口検出ＳＷ（スイッチ）１１は、始動入賞口２への遊技球の入賞を検出するためのスイッチである。大入賞口検出ＳＷ（スイッチ）１２は、継続入賞口４以外の大入賞口３への遊技球の入賞を検出するためのスイッチである。継続入賞口検出ＳＷ（スイッチ）１３は、継続入賞口４への遊技球の入賞を検出するためのスイッチである。大入賞口ソレノイド１４は、大入賞口３を開放動作させるアクチュエータである。普通入賞口検出ＳＷ（スイッチ）１５は、普通入賞口１への遊技球の入賞を検出するためのスイッチである。また、賞球払出装置１６は、遊技盤１００の裏面側の賞球タンク（図示せず）内の遊技球を遊技盤１００の下方の上皿２００に払出す装置である。
【００２１】
主制御部２０及び賞球制御部３０は、それぞれ、ＣＰＵ２１（３１）、ＲＯＭ２２（３２）、ＲＡＭ２３（３３）及びＩ／Ｏ２４，２５（３４，３５）を備えたマイクロコンピュータからなる。主制御部２０のＣＰＵ２１は、ＲＯＭ２２に予め記憶されている所定のプログラムを実行し、必要なデータをＲＡＭ２３に随時書き込むとともにＲＡＭ２３から読み出す。ＣＰＵ２１は、Ｉ／Ｏ２４を介して始動口検出スイッチ１１、大入賞口検出スイッチ１２、継続入賞口検出スイッチ１３及び普通入賞口検出スイッチ１５からの各検出信号を取り込むとともに、Ｉ／Ｏ２４を介して大入賞口ソレノイド１４に制御信号を出力する。また、ＣＰＵ２１は、Ｉ／Ｏ２５を介して賞球制御部３０に指令信号を出力する。
【００２２】
一方、賞球制御部３０のＣＰＵ３１は、ＲＯＭ３２に予め記憶されている所定のプログラムを実行し、必要なデータをＲＡＭ３３に随時書き込むとともにＲＡＭ３３から読み出す。ＣＰＵ３１は、Ｉ／Ｏ３４を介して主制御部２０から指令信号を取り込むとともに、Ｉ／Ｏ３５を介して賞球払出装置１６に制御信号を出力する。
【００２３】
賞球制御部３０のＣＰＵ３１は、図３に示すような演算及び処理を実行する。
【００２４】
図３において、ＣＰＵ３１は、スタート時にカウンタＮ（払出数値の総数をカウントするカウンタ）の値を０にセットする（Ｓ１）。次に、入賞条件が成立したと判断するまで、入賞条件が成立したか否かの判定を繰り返し実行する（Ｓ２）。この判定は、主制御部２０から、始動入賞口２への入賞が有った旨の指令信号、又は、普通入賞口１への入賞が有った旨の指令信号が送信されてきたか否かに基づいて行なわれる。入賞条件が成立したと判断した場合には、カウンタＮの値を０．２だけ加算する（Ｓ３）。次に、カウンタＮの値が１であるか否かの判定を実行する（Ｓ４）。カウンタＮの値が１でない場合は、上記の入賞条件成立の有無の判定ステップＳ２に戻り、カウンタＮの値が１になるまで、ステップＳ２，Ｓ３，Ｓ４を繰り返し実行する。そして、カウンタＮの値が１になると、遊技球を１個だけ払出すための制御信号をＩ／Ｏを介して賞球払出装置１６に出力する（Ｓ５）。その後、スタート時と同様、カウンタＮの値を０にセットし（Ｓ１）、以後、上記と同様、ステップＳ２，Ｓ３，Ｓ４，Ｓ５を実行する。
【００２５】
したがって、始動入賞口２又は普通入賞口１への第１回目から第４回目までの入賞に対して遊技球の払出は行なわれず、第５回目の入賞時に始めて遊技球１個の払出が行なわれるようになり、その後も同様な払出制御が行なわれる。なお、このような払出制御は、始動入賞口２のみ又は普通入賞口１のみに対して行なうようにしてもよいし、あるいは、始動入賞口２と普通入賞口１に共通して行なうようにしてもよい。
【００２６】
次に、図４に基づいて賞球制御部３０のＣＰＵ３１による他の演算及び処理を説明する。
【００２７】
図４において、ＣＰＵ３１は、スタート時にカウンタＮ（払出数値の総数をカウントするカウンタ）の値を０にセットする（Ｓ１１）。次に、入賞条件が成立したと判断するまで、入賞条件が成立したか否かの判定を繰り返し実行する（Ｓ１２）。この判定は、主制御部２０から、始動入賞口２への入賞が有った旨の指令信号、又は、普通入賞口１への入賞が有った旨の指令信号が送信されてきたか否かに基づいて行なわれる。入賞条件が成立したと判断した場合には、遊技球を１個だけ払出すための制御信号をＩ／Ｏ３５を介して賞球払出装置１６に出力し（Ｓ１３）、次に、カウンタＮの値を０．２だけ加算する（Ｓ１４）。次に、カウンタＮの値が１であるか否かの判定を実行する（Ｓ１５）。カウンタＮの値が１でない場合は、上記の入賞条件成立の有無の判定ステップＳ１２に戻り、カウンタＮの値が１になるまで、ステップＳ１２，Ｓ１３，Ｓ１４，Ｓ１５を繰り返し実行する。そして、カウンタＮの値が１になると、遊技球を１個だけ払出すための制御信号をＩ／Ｏ３５を介して賞球払出装置１６に出力する（Ｓ１６）。その後、スタート時と同様、カウンタＮの値を０にセットし（Ｓ１１）、以後、上記と同様、ステップＳ１２，Ｓ１３，Ｓ１４，Ｓ１５，Ｓ１６を実行する。
【００２８】
したがって、始動入賞口２又は普通入賞口１への第１回目から第４回目までの入賞に対して遊技球１個の払出が行なわれ、第５回目の入賞時に遊技球２個の払出が行なわれるようになり、その後も同様な払出制御が行なわれる。なお、このような払出制御は、始動入賞口２のみ又は普通入賞口１のみに対して行なうようにしてもよいし、あるいは、始動入賞口２と普通入賞口１に共通して行なうようにしてもよい。
【００２９】
以上説明したように、本実施形態に係る遊技機（パチンコ遊技機）は、所定入賞条件の成立（普通入賞口１又は始動入賞口２への入賞）を前提として遊技媒体（遊技球）の払出を行なう遊技機であって、予め、所定入賞条件の成立ごとに払出すべき遊技媒体の払出数値として小数値を含む数値（０．２又は１．２）を設定しておき、所定入賞条件の成立ごとに、払出数値を構成する整数分（０又は１）の遊技媒体の払出を行なうとともに、払出数値を構成する小数値（０．２）の累積値を演算し、累積値が正の整数化した（１になった）ときの所定入賞条件成立時（第５回目の入賞時）に、払出数値の整数（０又は１）に整数化した累積値（１）を加算した合計数分（１又は２）の遊技媒体の払出を行なうよう構成されている。
【００３０】
この遊技機によると、所定入賞条件の成立時であっても遊技媒体の払出を行なわないようになったり、あるいは、所定入賞条件の成立時であっても払出数が異なるようになり、このため、遊技にさらなる変化が生じ、遊技者の興趣を喚起させることができるようになる。
【００３１】
ここで、遊技者に対して累積値を示すための報知手段を設ける（例えば、図１に示すように、上皿２００の前面に、普通入賞口１又は始動入賞口２への入賞回数を表示する発光部３００を設ける）ようにすると、遊技者は、今から何回目の所定入賞条件の成立によって遊技媒体の払出が行なわれ、あるいは、通常より多い遊技媒体の払出が行なわれるかを直感することができる。
【００３２】
本発明の他の実施形態の遊技機は、予め、前記所定入賞条件の成立ごとに払出すべき遊技媒体の払出数値として小数値を含む数値を設定しておき、所定入賞条件の成立時に、払出数値の総数を累積してゆき、累積値が小数値を含まない正の整数となったとき、整数分の遊技媒体の払出を行うよう構成される。具体例を挙げて説明すると、予め入賞条件成立時の払出数値として１．２を設定しておき、第１回目の入賞条件成立から第４回目の入賞条件成立までの払出数値の総数を累積していき、第５回目の入賞条件成立時に、累積値の値が小数値を含まない正の整数（＝６）となったことに起因して遊技球６個の払出を行うようにしてもよい。
【００３３】
この遊技機によっても、所定入賞条件の成立時であっても遊技媒体の払出を行なわないようになり、このため、遊技に変化が生じ、遊技者の興趣を喚起させることができるようになる。
【００３４】
また、他の実施形態の遊技機は、遊技が継続して行われていない時間、又は、今回の所定入賞条件成立から次回の所定入賞条件成立までの時間が所定時間に達したとき、累積値をクリアするよう構成される。この遊技機によると、それまで遊技していた遊技者が新しい遊技者に交代した場合に、累積値がそのまま継続して用いられる不具合を解消できる。
【００３５】
また、他の実施形態の遊技機は、大当たり発生時に累積値が０より大きくかつ正の整数未満である場合、累積値を払出可能な整数まで繰り上げ、整数分の遊技媒体の払出を行うよう構成される。この遊技機によると、大当たり発生時に遊技媒体の欠如から大当たり状態が消滅する（所謂パンクする）不具合の発生を防止することができる。
【００３６】
なお、上述した実施形態はパチンコ遊技機に関するものであるが、本発明は、スロットマシンのメダルの払出に対しても容易に適用できる。
【００３７】
【発明の効果】
本発明の遊技機によると、所定入賞条件の成立時（例えば、通常遊技状態時に入賞口に遊技球が入賞した時）であっても遊技媒体（遊技球、メタル等）の払出を行なわないようにし、あるいは、所定入賞条件の成立時であっても払出数が異なるようにすることによって、遊技にさらなる変化をもたせ、遊技者の興趣を喚起することができるようになる。
【図面の簡単な説明】
【図１】本発明を適用可能なパチンコ遊技機の一例の正面図である。
【図２】図１図示のパチンコ遊技機において賞球の払出に関与するシステムの概略ブロック図である。
【図３】制御部による主要な演算処理の一例を表したフローチャートである。
【図４】制御部による主要な演算処理の他の例を表したフローチャートである。
【符号の説明】
１    普通入賞口
２    始動入賞口
３００    発光部（報知手段）
【図１】
2005000200.tif 000003
【図２】
2005000200.tif 000004
【図３】
2005000200.tif 000005
【図４】
2005000200.tif 000006